(57)【要約】【課題】  衣類用ハンガーにつき、横棹部材をハンガー本体に連結する連結部材をハンガー本体の腕部内に出し入れ自在に収容することができ、かつ、使用者の意図することなく、フック部材又はハンガー本体が回動することを防止できる衣類用ハンガーを提供する。【解決手段】  衣類用ハンガー１は、ハンガー本体２と、横棹部材３と、連結部材４と、フック部材５と、回動ユニット６とからなる。腕部２ｂは、連結部材収容部２ｃを形成しており、可撓性を有する長尺の部材である連結部材４を連結部材収容部２ｃ内に出し入れ自在に収容することができる。横棹部材３は、長手方向に伸縮可能な部材である。フック部材５は、回動ユニット６によって回動及び係止可能なようにハンガー本体２に取り付けられている。【選択図】      図２
0003180617.tif 000002
【実用新案登録請求の範囲】
【請求項１】
衣類用ハンガーであって、ハンガー本体と、横棹部材と、連結部材とからなり、該連結部材は、該ハンガー本体と該横棹部材とを連結するための部材であって、可撓性を有する長尺の部材であり、該ハンガー本体の腕部には、該連結部材を出し入れ自在に収容することができる連結部材収容部が設けられているとともに、該連結部材収容部内に収容した該連結部材を該連結部材収容部内に係止するための係止手段が設けられていることを特徴とする衣類用ハンガー。
【請求項２】
請求項１に記載した衣類用ハンガーであって、前記横棹部材は長手方向に伸縮可能な長尺の部材であることを特徴とする衣類用ハンガー。
【請求項３】
請求項１又は２に記載した衣類用ハンガーであって、フック部材が備えられており、該フック部材は回動ユニットによって回動可能なように前記ハンガー本体に取り付けられており、該回動ユニットは、該ハンガー本体と該フック部材とを連結する回転軸と、該フック部材を取り付ける上部回転盤と、該ハンガー本体を取り付ける下部回転盤と、該上部回転盤を上方に付勢するスプリングと、該上部回転盤及び該下部回転盤に設けられている係止球収容部内に嵌合される係止球とからなることを特徴とする衣類用ハンガー。
【請求項４】
請求項１又は２に記載した衣類用ハンガーであって、フック部材が備えられており、該フック部材は回動ユニットによって回動可能なように前記ハンガー本体に取り付けられており、該回動ユニットは、該ハンガー本体と該フック部材とを連結する回転軸と、該フック部材を取り付ける上部回転盤と、該ハンガー本体を取り付ける下部回転盤と、該上部回転盤を上方に付勢するスプリングとからなり、該上部回転盤と該下部回転盤とが対向する面のいずれか一方には係止突起が設けられており、該係止突起に対向する箇所には係止突起嵌合部が設けられていることを特徴とする衣類用ハンガー。
【考案の詳細な説明】
【技術分野】
【０００１】
本考案は、衣類用ハンガーに関し、特に、ハンガー本体の下部に横棹部材を備えた衣類用ハンガー、及びハンガー本体の上部に回動可能なフック部材を備えた衣類用ハンガーに関する。
【背景技術】
【０００２】
従来、ズボン、スカート、タオル等を掛けるための横棹部材を備えた衣類用ハンガーとしては、該横棹部材がハンガー本体に対して鉛直方向に伸縮することができる棒状部材を介してハンガー本体に取り付けられている衣類用ハンガーが提案されている（例えば、特許文献１参照。）。
【０００３】
また、シャツ、セーター等の袖部を通すためのハンガー本体における腕部について、一方の腕部を他方の腕部内に収納することができるようにしてハンガー本体の肩幅を調節することができるようにした衣類用ハンガーも提案されている（例えば、特許文献２参照。）。
【０００４】
更に、クローゼット内に架け渡された横架部材等に吊り下げるためのフック部材を備えた衣類用ハンガーとしては、該フック部材が回動可能なようにハンガー本体に取り付けられている衣類用ハンガーが提案されている（例えば、特許文献３参照。）。
【先行技術文献】
【特許文献】
【０００５】
【特許文献１】特開２００２−２３８７２７号公報
【特許文献２】特開平８−４３６号公報
【特許文献３】実開昭和６４−１５７９号公報
【考案の概要】
【考案が解決しようとする課題】
【０００６】
しかしながら、上記の従来技術に係る横棹部材を備えた衣類用ハンガーは、該横棹部材を該ハンガー本体に連結する棒状部材として大径の外筒に小径の内棒を通した伸縮棒を用いているために、とりわけ該棒状部材が縮まる長さには限度があることから、使用者が横棹部材の高さを自在に調節することができない場合があるという問題があった。そこで、本考案の解決しようとする第一の課題は、ハンガー本体の下部に横棹部材を備えた衣類用ハンガーにつき、該横棹部材を該ハンガー本体に連結するための連結部材を該ハンガー本体の腕部内に出し入れ自在に収容できるようにして、使用者が横棹部材の高さをより自在に調節することができる衣類用ハンガーを提供することにある。
【０００７】
また、上記の従来技術に係る横棹部材を備えた衣類用ハンガーは、該棒状部材が該ハンガー本体から突き出した格好であるところ、上述の該棒状部材が縮まる長さには限度があることともあわせて、該衣類用ハンガーを収納又は運搬する場合等には嵩張ってしまうという問題があった。そこで、本考案の解決しようとする第二の課題は、ハンガー本体の下部に横棹部材を備えた衣類用ハンガーにつき、該横棹部材をハンガー本体に連結するための連結部材を該ハンガー本体の腕部内に出し入れ自在に収容できるようにして、使用者が該衣類用ハンガーを収納又は運搬する場合等でも嵩張らないようにコンパクト化した衣類用ハンガーを提供することにある。
【０００８】
そして、上記の従来技術に係るフック部材が回動可能なようにハンガー本体に取り付けられている衣類用ハンガーは、ビス等を用いて該フック部材を該ハンガー本体に単純に取り付けるものに過ぎないことから、使用者が意図していないにも拘らず、該フック部材又は該ハンガー本体が回動してしまうという問題があった。そこで、本考案の解決しようとする第三の課題は、ハンガー本体の上部に回動可能なフック部材を備えた衣類用ハンガーにつき、該フック部材又は該ハンガー本体の回動を係止する手段を備えることにより、使用者の意図することなく、該フック部材又は該ハンガー本体が回動してしまうことを防止できる衣類用ハンガーを提供することにある。
【課題を解決するための手段】
【０００９】
本考案は、上記の各課題を解決するために提案されたものであり、以下の構成を有するものである。以下では、本考案の構成を理解するのを補助するため、本願に添付した図面に表示した番号及び符号を併せて記載する。
【００１０】
本考案の第一及び第二の課題を解決するため、請求項１に係る衣類用ハンガー（１）は、ハンガー本体（２）と、横棹部材（３）と、連結部材（４）とからなる。連結部材（４）は、ハンガー本体（２）と横棹部材（３）とを連結するための部材であって、可撓性を有する長尺の部材である。ハンガー本体（２）の腕部（２ｂ）には、連結部材（４）を出し入れ自在に収容することができる連結部材収容部（２ｃ）が設けられているとともに、連結部材収容部（２ｃ）内に収容した連結部材（４）を連結部材収容部（２ｃ）内に係止するための係止手段（２ｄ）が設けられている。
【００１１】
本考案の第一及び第二の課題を解決するため、請求項２に係る衣類用ハンガー（１）は、請求項１に記載した衣類用ハンガーであって、前記横棹部材（３）は長手方向に伸縮可能な長尺の部材である。
【００１２】
本考案の第三の課題を解決するため、請求項３に係る衣類用ハンガー（１）は、請求項１又は２に記載した衣類用ハンガーであって、フック部材（５）が備えられており、フック部材（５）は回動ユニット（６）によって回動可能なようにハンガー本体（２）に取り付けられている。回動ユニット（６）は、ハンガー本体（２）とフック部材（５）とを連結する回転軸（６ａ）と、フック部材（５）を取り付ける上部回転盤（６ｃ）と、ハンガー本体（２）を取り付ける下部回転盤（６ｄ）と、上部回転盤（６ｃ）を上方に付勢するスプリング（６ｂ）と、上部回転盤（６ｃ）及び下部回転盤（６ｄ）に設けられている係止球収容部（６ｇ）内に嵌合される係止球（６ｅ）とからなる。
【００１３】
本考案の第三の課題を解決するため、請求項４に係る衣類用ハンガー（１）は、請求項１又は２に記載した衣類用ハンガーであって、フック部材（５）が備えられており、フック部材（５）は回動ユニット（６）によってハンガー本体（２）に回動可能なように取り付けられている。回動ユニット（６）は、ハンガー本体（２）とフック部材（５）とを連結する回転軸（６ａ）と、フック部材（５）を取り付ける上部回転盤（６ｃ）と、ハンガー本体（２）を取り付ける下部回転盤（６ｄ）と、上部回転盤（６ｃ）を上方に付勢するスプリング（６ｂ）とからなる。上部回転盤（６ｃ）と下部回転盤（６ｄ）とが対向する面のいずれか一方には係止突起（６ｈ）が設けられており、係止突起（６ｈ）に対向する箇所には係止突起嵌合部（６ｉ）が設けられている。
【考案の効果】
【００１４】
本考案に係る衣類用ハンガーは、上記の通りの構成であるから、以下のような効果を奏することができる。
【００１５】
まず、請求項１に記載した衣類用ハンガーは、前記ハンガー本体と前記横棹部材とを連結するための前記連結部材が可撓性を有する長尺の部材であって、該ハンガー本体の腕部には該連結部材を収容することができる前記連結部材収容部が設けられていることから、使用者が該横棹部材の高さをより自在に調節することができる。同時に、請求項１に記載した衣類用ハンガーは、使用者が該衣類用ハンガーを収納又は運搬する際には、該連結部材を該連結部材収容部内に収容することにより、該衣類用ハンガーが嵩張らないようにして収納又は運搬することができる。従って、請求項１に記載した衣類用ハンガーは、上記の本考案が解決しようとする第一及び第二の課題を解決することができるのである。
【００１６】
また、前記横棹部材を長手方向に伸縮可能な長尺の部材とすると種々の衣類を掛けておくのに便宜である。請求項２に記載した衣類用ハンガーは、前記連結部材が可撓性を有する長尺の部材であるところ、該横棹部材を長手方向に伸縮可能な長尺の部材とするのに好適である。
【００１７】
そして、請求項３に記載した衣類用ハンガーは、静止状態にある場合には、前記上部回転盤及び前記下部回転盤にそれぞれ設けられている前記係止球収容部に嵌合されている前記係止球が該上部回転盤及び該下部回転盤の回転を係止しているために、使用者の意図することなく、前記ハンガー本体又は前記フック部材が回動してしまうことがない。一方、使用者が該ハンガー本体又は該フック部材を回動させる場合には、該上部回転盤と該下部回転盤とを若干引き離すようにして、該係止球収容部から該係止球を脱出させて嵌合状態を解除することにより、該ハンガー本体又は該フック部材を回動させることができる。
【００１８】
同様に、請求項４に記載した衣類用ハンガーは、静止状態にある場合には、前記係止突起が前記係止突起嵌合部に嵌合されていることにより前記上部回転盤及び前記下部回転盤の回転を係止しているために、使用者の意図することなく、前記ハンガー本体又は前記フック部材が回動してしまうことがない。一方、使用者が該ハンガー本体又は該フック部材を回動させる場合には、該上部回転盤と該下部回転盤とを若干引き離すようにして、該係止突起嵌合部から該係止突起を脱出させて嵌合状態を解除することにより、該ハンガー本体又は該フック部材を回動させることができる。
【００１９】
よって、請求項３又は４に記載した衣類用ハンガーは、使用者の意図することなく、該ハンガー本体又は該フック部材が回動してしまうことがない。従って、請求項３又は４に記載した衣類用ハンガーは、上記の本考案が解決しようとする第三の課題を解決することができるのである。
【図面の簡単な説明】
【００２０】
【図１】本考案の第一実施形態に係る衣類用ハンガーを示した正面図である。
【図２】本考案の第一実施形態に係る衣類用ハンガーにおいて連結部材を連結部材収容部内に収容した状態を示した断面図である。
【図３】本考案の第一実施形態に係る衣類用ハンガーにおいて連結部材を連結部材収容部から引き出した状態を示した断面図である。
【図４】本考案の第一実施形態に係る衣類用ハンガーに係る回動ユニットの分解構造斜視図である。
【図５】本考案の第一実施形態に係る衣類用ハンガーに係る回動ユニットの静止状態における作用説明図である。
【図６】本考案の第一実施形態に係る衣類用ハンガーに係る回動ユニットの作動状態における作用説明図である。
【図７】本考案の第二実施形態に係る衣類用ハンガーに係る回動ユニットの分解構造斜視図である。
【図８】本考案の第二実施形態に係る衣類用ハンガーに係る回動ユニットの静止状態における作用説明図である。
【図９】本考案の第二実施形態に係る衣類用ハンガーに係る回動ユニットの作動状態における作用説明図である。
【考案を実施するための形態】
【００２１】
まず、本考案の第一実施形態に係る衣類用ハンガーの構造及びその使用態様について添付図面に基づいて説明する。
【００２２】
本考案の一実施形態に係る衣類用ハンガー１は、図１ないし３に図示するように、ハンガー本体２と、横棹部材３と、連結部材４と、フック部材５と、回動ユニット６とからなる。
【００２３】
ハンガー本体２は、図１ないし３に図示するように、正面視山型状の部材であって、頂部２ａと、腕部２ｂとから構成されている。腕部２ｂは、シャツ、セーター等の袖部を通すための部位であって、頂部２ａから両側に一体に連接されている。腕部２ｂは、両側に開口する筒状の部材であって、連結部材４をその内部に収容することができるように連結部材収容部２ｃを形成している。また、両側の腕部２ｂの開口付近には、係止ネジ２ｄが一箇所ずつ設けられている。係止ネジ２ｄは、連結部材４を押圧して連結部材収容部２ｃ内の所望の位置で係止するための部材であり、連結部材収容部２ｃ内に引き込んだ連結部材４が使用者の意図することなく引き出されてしまうことを防止できる。尚、ハンガー本体２の表面には、掛けた衣類が滑り落ちないように、シリコン樹脂等を塗布して滑り止め処置を行っておくのが好適である。
【００２４】
横棹部材３は、ズボン、スカート、タオル等を掛けるための長尺の部材であって、図１ないし３に図示するように、連結部材４を介してハンガー本体２の下部に取り付けられている。横棹部材３は、外筒３ａと、内棒３ｂとからなり、大径の外筒３ａに小径の内棒３ｂを通して、長手方向に伸縮できるようになっており、使用者は、横棹部材３に掛ける衣類の幅にあわせて、横棹部材３の長さを調節することができる。また、外筒３ａは、その一端又は両端に切欠きを設けることにより、該切欠きを連結部材４の端部に係合させて係止することができるとともに、該係合状態を解除することにより回動可能なようにすると、使用者が横棹部材３に掛けた衣類を引き出し易くなって、好適である。尚、横棹部材３の表面には、掛けた衣類が滑り落ちないように、シリコン樹脂等を塗布して滑り止め処置を行っておくのが好適である。
【００２５】
連結部材４は、図１ないし３に図示するように、ハンガー本体２と横棹部材３とを連結するための部材である。連結部材４の長さは、連結部材収容部２ｃ内に収容することができるように腕部２ｂの片側の長さとほぼ同じ長さとするのが好適である。連結部材４は、可撓性を有する長尺の部材であって、例えば、蛇腹状の金属製フレキシブルパイプ等を用いることができる。
【００２６】
使用者は、横棹部材３に掛ける衣類の所望の高さ位置にあわせて、連結部材収容部２ｃ内から連結部材４を所望の長さ引き出して、係止ネジ２ｄによって連結部材４を押圧して所望の位置で係止することにより、横棹部材３の高さ位置を自在に調節することができる。また、使用者は、衣類用ハンガー１を収納又は運搬する際には、連結部材４を連結部材収容部２ｃ内に引き込んで収容し、係止ネジ２ｄによって押圧して係止することにより、衣類用ハンガー１を嵩張らないようにして収納又は運搬することができる。
【００２７】
フック部材５は、クローゼット内に架け渡された横架部材等に吊り下げるための部材であって、図１ないし３に図示するように、頂部２ａの上部に、回動ユニット６を介して、ハンガー本体２に対して回動可能なように取り付けられている。フック部材５は、図１ないし３では、該横架部材を挟持するクリップ具となっているが、特にこれに限定されるものではない。
【００２８】
回動ユニット６は、図４ないし６に図示するように、回転軸６ａと、スプリング６ｂと、上部回転盤６ｃと、下部回転盤６ｄと、係止球６ｅとからなる。回転軸６ａは、ハンガー本体２とフック部材５とを連結するための部材であって、その両端が上部回転盤６ｃと下部回転盤６ｄの中心に凹状に設けられている回転軸収容部６ｆにそれぞれ収容されている。スプリング６ｂは、上部回転盤６ｃを上方に付勢するための部材であって、上部回転盤６ｃと下部回転盤６ｄとの間に設置されており、回転軸６ａの外周面に巻き回されている。上部回転盤６ｃはフック部材５の下部に取り付けられており、下部回転盤６ｄは頂部２ａの上部に取り付けられている。上部回転盤６ｃ及び下部回転盤６ｄは、いずれも直方体状の部材であり、上部回転盤６ｃの下面及び下部回転盤６ｄの上面には、係止球６ｅの個数に応じて、係止球６ｅを収容するための凹部が係止球収容部６ｇとして設けられている。係止球６ｅは、回転軸６ａの回転を制御するための球状の部材であって、上部回転盤６ｃの下面と下部回転盤６ｄの上面との間に間隙が生じるようにして、上部回転盤６ｃ及び下部回転盤６ｄに設けられた係止球収容部６ｇ内に嵌合されている。係止球６ｅの個数は、図４ないし６では、４つであるが、特にこれに限定されるものではない。
【００２９】
衣類用ハンガー１は、図５に図示するように、静止状態にある場合には、上部回転盤６ｃ及び下部回転盤６ｄにそれぞれ設けられている係止球収容部６ｇに嵌合されている係止球６ｅが上部回転盤６ｃ及び下部回転盤６ｄの回転を係止しているために、使用者の意図することなく、ハンガー本体２又はフック部材５が回動してしまうことがない。
【００３０】
一方、使用者がハンガー本体２又はフック部材５を回動させる場合には、図６に図示するように、上部回転盤６ｃを下部回転盤６ｄから若干引き離すようにして、上部回転盤６ｃ側の係止球収容部６ｇから係止球６ｅを脱出させて嵌合状態を解除することにより、ハンガー本体２又はフック部材５を回動させることができる。
【００３１】
以上が、本考案の第一実施形態に係る衣類用ハンガーについての説明である。次に、本考案の第二実施形態に係る衣類用ハンガーの構造及びその使用態様について添付図面に基づいて説明する。尚、本考案の第二実施形態に係る衣類用ハンガーの構造及びその使用態様は、下記の事項以外、前記の本考案の第一実施形態に係る衣類用ハンガーの構造及びその使用態様と同一である。
【００３２】
回動ユニット６は、図７ないし９に図示するように、回転軸６ａと、スプリング６ｂと、上部回転盤６ｃと、下部回転盤６ｄとからなる。回転軸６ａは、ハンガー本体２とフック部材５とを連結するための部材であって、その両端が上部回転盤６ｃと下部回転盤６ｄの中心に凹状に設けられている回転軸収容部６ｆにそれぞれ収容されている。スプリング６ｂは、上部回転盤６ｃを上方に付勢するための部材であって、上部回転盤６ｃと下部回転盤６ｄとの間に設置されており、回転軸６ａの外周面に巻き回されている。上部回転盤６ｃ及び下部回転盤６ｄは、いずれも直方体状の部材であり、上部回転盤６ｃはフック部材５の下部に取り付けられており、下部回転盤６ｄは頂部２ａの上部に取り付けられている。上部回転盤６ｃの下面と下部回転盤６ｄの上面とは対向しており、下部回転盤６ｄの上面には略半球状の係止突起６ｈが設けられており、上部回転盤６ｃの下面には係止突起６ｈの個数に応じて係止突起６ｈに対向する箇所に係止突起嵌合部６ｉが設けられている。これとは反対に、係止突起６ｈを上部回転盤６ｃ側に設け、係止突起嵌合部６ｉを下部回転盤６ｄ側に設けることも可能である。また、係止突起６ｈは、図７ないし９では、四箇所設けられているが、特にこれに限定されるものではない。
【００３３】
衣類用ハンガー１は、図８に図示するように、静止状態にある場合には、係止突起６ｈが係止突起嵌合部６ｉに嵌合されていることにより上部回転盤６ｃ及び下部回転盤６ｄの回転を係止しているために、使用者の意図することなく、ハンガー本体２又はフック部材５が回動してしまうことがない。
【００３４】
一方、使用者がハンガー本体２又はフック部材５を回動させる場合には、図９に図示するように、上部回転盤６ｃを下部回転盤６ｄから若干引き離すようにして、係止突起嵌合部６ｉから係止突起６ｈを脱出させて嵌合状態を解除することにより、ハンガー本体２又はフック部材５を回動させることができる。
【符号の説明】
【００３５】
１  衣類用ハンガー
２  ハンガー本体
２ａ  頂部
２ｂ  腕部
２ｃ  連結部材収容部
２ｄ  係止ネジ
３  横棹部材
３ａ  外筒
３ｂ  内棒
４  連結部材
５  フック部材
６  回動ユニット
６ａ  回転軸
６ｂ  スプリング
６ｃ  上部回転盤
６ｄ  下部回転盤
６ｅ  係止球
６ｆ  回転軸収容部
６ｇ  係止球収容部
６ｈ  係止突起
６ｉ  係止突起嵌合部
【図１】
0003180617.tif 000003
【図２】
0003180617.tif 000004
【図３】
0003180617.tif 000005
【図４】
0003180617.tif 000006
【図５】
0003180617.tif 000007
【図６】
0003180617.tif 000008
【図７】
0003180617.tif 000009
【図８】
0003180617.tif 000010
【図９】
0003180617.tif 000011